(57)【要約】【課題】ファンの負荷の大きさや個数にかかわらず幅広く対応することができるファン駆動装置を提供することを課題とする。【解決手段】各ファン駆動回路Ｄは、小負荷のファンＦＡの負荷の大きさＬにほぼ対応した駆動能力Ｅを有している。ここで、ファンＦＡの負荷Ｌよりもｔ倍大きい負荷ｔ・Ｌを有するファンＦＢを駆動する場合、まず電源部３の他端にファンＦＢの一端を接続すると共に、例えば１〜ｔ番目のｔ個のファン駆動回路Ｄの出力端子を互いに結線してファンＦＢの他端に接続する。そして、ＣＰＵ２の１〜ｔ番目の端子Ｐから対応する１〜ｔ番目のファン駆動回路Ｄに同時に制御信号を送ってこれらｔ個のファン駆動回路Ｄを同期して動作させる。【選択図】        図１
2004336930.tif 000002
【特許請求の範囲】
【請求項１】
少なくとも１つのファンを駆動する装置であって、
互いに同じ駆動能力を有する複数の駆動回路と、
前記複数の駆動回路をそれぞれ制御する制御部と
を備え、前記複数の駆動回路のうち駆動対象となる各ファンの負荷の大きさに応じた数の駆動回路を各ファンに接続し、前記制御部は、各ファンに接続された駆動回路をファン毎に同期して動作させることを特徴とするファン駆動装置。
【発明の詳細な説明】
【０００１】
【発明の属する技術分野】
この発明は、ファン駆動装置に関する。
【０００２】
【従来の技術】
例えば特許文献１に開示されたフォークリフトでは、走行用モータの駆動回路及び荷役用モータの駆動回路における過熱を防止するために、これら２つの回路をそれぞれ冷却する２つの冷却ファンが設けられている。これら２つの冷却ファンはそれぞれの冷却ファンの負荷の大きさに対応した専用のファン駆動回路に接続されて個別に駆動される。
【０００３】
【特許文献１】
特開平１０−２７１６０２号公報
【０００４】
【発明が解決しようとする課題】
しかしながら、各冷却ファンは、その負荷の大きさに対応した駆動能力を有するファン駆動回路により駆動されるため、負荷の大きさが異なる冷却ファンに対してそれぞれ専用のファン駆動回路を設定しなければならず、ファン駆動回路として汎用性に乏しいという問題があった。特に、複数のファンを駆動する場合には、各ファンの負荷の大きさに応じて複数のファン駆動回路が必要となり、改善の余地があった。
この発明はこのような問題点を解消するためになされたもので、ファンの負荷の大きさや個数にかかわらず幅広く対応することができるファン駆動装置を提供することを目的とする。
【０００５】
【課題を解決するための手段】
この発明に係るファン駆動装置は、少なくとも１つのファンを駆動する装置であって、互いに同じ駆動能力を有する複数の駆動回路と、複数の駆動回路をそれぞれ制御する制御部とを備え、複数の駆動回路のうち駆動対象となる各ファンの負荷の大きさに応じた数の駆動回路を各ファンに接続し、制御部は各ファンに接続された駆動回路をファン毎に同期して動作させるものである。
【０００６】
【発明の実施の形態】
以下、この発明の実施の形態を添付図面に基づいて説明する。
図１に、この発明の実施の形態に係るファン駆動装置の構成を示す。このファン駆動装置のプリント基板１上に、互いに同じ回路構成で同じ駆動能力を有するＮ個のファン駆動回路Ｄが搭載されている。また、プリント基板１は制御部としてのＣＰＵ２を有しており、このＣＰＵ２のＮ個の端子Ｐにそれぞれファン駆動回路Ｄが接続されている。これらのファン駆動回路Ｄに電源部３の一端が接続されている。
【０００７】
次に、この実施の形態に係るファン駆動装置の動作について説明する。なお、各ファン駆動回路Ｄは、後述する小負荷のファンＦＡの負荷の大きさＬにほぼ対応した駆動能力Ｅを有している。ここで図１に示されるように、このファン駆動装置により、ファンＦＡの負荷Ｌよりもｔ倍大きい負荷ｔ・Ｌを有するファンＦＢを駆動する場合について説明する。まず電源部３の他端にファンＦＢの一端を接続すると共に、このファンＦＢの負荷の大きさに対応して使用するファン駆動回路Ｄの数を選定する。ここで、ファンＦＢが負荷ｔ・Ｌを有するため、ファンＦＢを駆動するためには１個のファン駆動回路Ｄの駆動能力Ｅのｔ倍に相当する駆動能力ｔ・Ｅを必要とする。そこで、使用するファン駆動回路Ｄの数をｔ個とし、例えば１〜ｔ番目のｔ個のファン駆動回路Ｄの出力端子を互いに結線してファンＦＢの他端に接続する。そして、ＣＰＵ２の１〜ｔ番目の端子Ｐから対応する１〜ｔ番目のファン駆動回路Ｄに同時に制御信号を送ってこれらｔ個のファン駆動回路Ｄを同期して動作させると、駆動能力ｔ・Ｅが得られ、これにより電源部３からファンＦＢに適切な電流を流してこのファンＦＢを駆動することができる。
【０００８】
同様に、このファン駆動装置でファンＦＡの負荷Ｌよりもｓ倍大きい負荷ｓ・Ｌを有するファンＦＣを駆動する場合、駆動能力ｓ・Ｅを必要とするため、使用するファン駆動回路Ｄの数をｓ個とし、例えば１〜ｓ番目のファン駆動回路Ｄの各出力端子を結線してファンＦＣに接続する。そして、ＣＰＵ２の１〜ｓ番目の端子Ｐから対応する１〜ｓ番目のファン駆動回路Ｄに同時に制御信号を送ってこれらｓ個のファン駆動回路Ｄを同期して動作させることによりファンＦＣを駆動することができる。
さらに、このファン駆動装置で小負荷のファンＦＡを駆動する場合、ファン駆動回路ＤがファンＦＡの負荷の大きさＬにほぼ対応した駆動能力Ｅを有しているので、使用するファン駆動回路Ｄの数は１個とし、例えば１番目のファン駆動回路Ｄと電源部３との間にファンＦＡを直列に接続すると共に、ＣＰＵ２の１番目の端子Ｐから１番目のファン駆動回路Ｄに制御信号を送ってこの１個のファン駆動回路Ｄを動作させることによりファンＦＡを駆動することができる。
このように、Ｎ個のファン駆動回路Ｄのうち駆動しようとするファンの負荷の大きさに応じた数のファン駆動回路Ｄを使用することにより、ファンＦＡだけでなく、ファンＦＡよりも大きい負荷を有するファンＦＢ及びファンＦＣをも駆動することができる。
【０００９】
また、このファン駆動装置により、１個のファンだけでなく、複数のファンを駆動することもできる。例えば、図２に示されるように、このファン駆動装置により、ａ個のファンＦＡ、１個のファンＦＢ及び１個のファンＦＣを駆動しようとする場合について説明する。例えば、１〜ａ番目の各ファン駆動回路Ｄに対して１個ずつファンＦＡを接続し、（ａ＋１）〜（ａ＋ｔ）番目のｔ個のファン駆動回路Ｄの出力端子を結線してファンＦＢを接続し、さらに、（ａ＋ｔ＋１）〜（ａ＋ｔ＋ｓ）番目のｓ個のファン駆動回路Ｄの出力端子を結線してファンＦＣを接続する。そして、ａ個のファンＦＡに接続されたａ個のファン駆動回路Ｄをそれぞれ動作させると共に、ファンＦＢに接続されたｔ個のファン駆動回路Ｄ及びファンＦＣに接続されたｓ個のファン駆動回路Ｄをファン毎に同期して動作させることにより、これらファンＦＡ、ＦＢ、ＦＣをそれぞれ駆動することができる。
また、負荷の大きさが互いに等しい複数のファンのみを駆動することもできる。
【００１０】
このように、本実施の形態のファン駆動装置は、１つのファンだけでなく、互いに負荷の大きさが異なる複数のファンをも駆動することができる。その結果、負荷の大きさに対応した駆動能力を有する専用のファン駆動回路を設ける必要がなく、ファン駆動装置が１種類に統一されるので管理が容易となる。
さらに、互いに同一の回路構成を有する複数のファン駆動回路Ｄを備えるので単純な構成となり、装置の製造及び検査が容易となる。
【００１１】
なお、図２では、ａ個のファンＦＡ、１個のファンＦＢ及び１個のファンＦＣを駆動する場合について説明したが、装置全体の駆動能力Ｎ・Ｅの範囲内であれば、ファンの個数とファンの負荷の大きさとから決まる様々な組み合わせに対応することができる。
【００１２】
【発明の効果】
以上説明したように、この発明によれば、少なくとも１つのファンを駆動する装置であって、互いに同じ駆動能力を有する複数の駆動回路と、複数の駆動回路をそれぞれ制御する制御部とを備え、複数の駆動回路のうち駆動対象となる各ファンの負荷の大きさに応じた数の駆動回路を各ファンに接続し、制御部は各ファンに接続された駆動回路をファン毎に同期して動作させるようにしたので、ファンの負荷の大きさや個数にかかわらず幅広く対応することができるファン駆動装置を実現することができる。
【図面の簡単な説明】
【図１】この発明の実施の形態に係るファン駆動回路を示す回路図である。
【図２】実施の形態における別の態様のファン駆動回路を示す回路図である。
【符号の説明】
１  プリント基板、２  ＣＰＵ、３  電源部、Ｄ  ファン駆動回路、ＦＡ，ＦＢ，ＦＣ  ファン、Ｐ  端子。
【図１】
2004336930.tif 000003
【図２】
2004336930.tif 000004